(57)【特許請求の範囲】
【請求項１】
ヘルメット内部に環状にして配設されたヘッドバンドの内径を調節するヘッドバンドのサイズ調整装置において、
前記ヘッドバンドの対向して重なり合う両端部にあって、該両端部の対向する面に長手方向に沿って並列して形成された凹凸部と、
前記対向する凹凸部の間にあって、該凹凸部と噛み合うとともに、回転自在に軸支され、回転することにより、前記ヘッドバンドの両端部を互いに周方向に沿って反対方向へ移動させて、該ヘッドバンドの内径を大小調節する歯車と、
直線方向に可動するように支持され、直線方向の動作に連動して、前記歯車を回転させる機構を備える操作部と、
前記操作部の操作方向を前記ヘッドバンドの内径を縮小させる方向に規制するとともに、この規制を解除する回転規制部と、
を備えていることを特徴とするヘルメットのヘッドバンドのサイズ調整装置。
【請求項２】
前記操作部に対し、ヘッドバンドの内径を縮小させる方向の操作に抗する付勢力を付与する付勢部が設けられていることを特徴とする請求項１記載のヘルメットのヘッドバンドのサイズ調整装置。
【請求項３】
前記ヘッドバンドの内径を縮小させる方向の前記操作部の操作が、前記ヘルメットの外側から内側へ押動する押動操作であることを特徴とする請求項１又は２記載のヘルメットのヘッドバンドのサイズ調整装置。
【請求項４】
前記操作部及び回転規制部が、前記ヘルメットの後頭部側に備えられていることを特徴とする請求項１乃至３いずれか１項記載のヘッドバンドのサイズ調整装置。
【発明の詳細な説明】
【技術分野】
【０００１】
本発明は、保安用及び乗車用のヘルメットにおけるヘッドバンドのサイズ調整装置に関する。
【背景技術】
【０００２】
頭部にヘルメットをガタツキなくしっかりと保持するための部材として、ヘルメット内部に配設されたヘッドバンドが知られている。下記特許文献１に記載のヘッドバンドは、頭部周囲を囲むように環状となるように配されており、このヘッドバンドの両端部にわたるように設けられたサイズ調整装置によって、着用者の頭部の周長に合わせて環状のヘッドバンドの内径を調整できるようになっている。
【０００３】
このサイズ調整装置は、ヘッドバンドの一端側に突設された係合突起と、他端側にヘッドバンドの周方向に沿って複数開孔され、前述の係合突起が係合する係合孔とから構成され、この複数の係合孔の内、着用者の頭部の周長に合う内径となる位置の係合孔に係合突起を係合させることで、ヘッドバンドの内径を着用者の頭部の周長に合わせて調整するようになっている。
【先行技術文献】
【特許文献】
【０００４】
【特許文献１】特開２０００−２７０２１号公報
【発明の概要】
【発明が解決しようとする課題】
【０００５】
特許文献１の従来技術によると、サイズ調整装置でヘッドバンドの内径を着用者の頭部の周長に合わせて調整して、ヘッドバンドを頭部にフィットさせることによって、ヘルメットを頭部に保持することができる。
【０００６】
しなしながら、特許文献１に記載のサイズ調整装置は、係合突起を係合孔に係合させることによって、ヘッドバンドの内径を調整するものであるため、ヘルメットを着用した状態でヘッドバンドの内径を調整することができないという問題があった。すなわち、ヘルメットを脱いだ状態でヘッドバンドの内径を着用者の頭部の周長に目測で合わせて調整し、ここで調整した内径でヘルメットを着用してヘッドバンドのフィッティングを行って、緩かったりきつかったりすれば、ヘルメットを脱いで再び調整するとともに、フィッティングをして、ヘッドバンドが頭部にフィットするまで、ヘッドバンドを調整しなければならないため、ヘッドバンドの内径の調整が極めて面倒である上に、相当の時間を要するものであった。
【０００７】
本発明は、このような問題に対処することを課題の一例とするものである。すなわち、ヘルメットを着用した状態でヘッドバンドの内径の調整ができること、ヘッドバンドの内径の調整が容易、且つ迅速にできること、ヘッドバンドの内径の調整が正確にできること、等が本発明の目的である。
【課題を解決するための手段】
【０００８】
このような目的を達成するために、本発明によるヘルメットのヘッドバンドのサイズ調整装置は、以下の構成を少なくとも具備するものである。
【０００９】
ヘルメット内部に環状にして配設されたヘッドバンドの内径を調節するヘッドバンドのサイズ調整装置において、前記ヘッドバンドの対向して重なり合う両端部にあって、該両端部の対向する面に長手方向に沿って並列して形成された凹凸部と、前記対向する凹凸部の間にあって、該凹凸部と噛み合うとともに、回転自在に軸支され、回転することにより、前記ヘッドバンドの両端部を互いに周方向に沿って反対方向へ移動させて、該ヘッドバンドの内径を大小調節する歯車と、直線方向に可動するように支持され、直線方向の動作に連動して、前記歯車を回転させる機構を備える操作部と、前記操作部の操作方向を前記ヘッドバンドの内径を縮小させる方向に規制するとともに、この規制を解除する回転規制部と、を備えていることを特徴とする。
【発明の効果】
【００１０】
このような特徴を有することで本発明は、以下の効果を奏する。すなわち、操作部のスライド操作によって、ヘッドバンドの内径を縮小するものであるので、ヘルメットを着用した状態でヘッドバンドの内径の調整ができるとともに、ヘッドバンドの内径の調整が容易、且つ迅速にでき、しかもヘッドバンドの内径の調整が正確にできる。
【図面の簡単な説明】
【００１１】
【図１】本発明に係るサイズ調整装置を取り付けたヘルメットの底面図。
【図２】本発明に係るサイズ調整装置を取り付けたヘルメットの一部切欠正面図。
【図３】本発明に係るサイズ調整装置を取り付けたヘルメットの背面図。
【図４】図３の（４）−（４）線断面図。
【図５】図４の（５）−（５）線断面図。
【図６】図５の（６）−（６）線断面図。
【図７】図５の（７）−（７）線断面図。
【図８】ヘッドバンドの内径を縮小する操作部のスライド操作による歯車とヘッドバンドの動作を示す動作図。
【図９】ヘッドバンドの内径を縮小する操作部のスライド操作による回転規制部を示す動作図。
【図１０】ヘッドバンドの内径を縮小する操作部のスライド操作による歯車と操作部の動作を示す動作図。
【図１１】回転規制部の規制を解除した動作を示す動作図。
【発明を実施するための形態】
【００１２】
本発明の対象とするヘルメットは、ヘッドバンドによって頭部に対するフィッティングを行うヘルメットのすべてであり、使用目的や形状等を限定するものではない。このようなヘルメットとして、消防用ヘルメット、作業用ヘルメット等が例示できる。
【００１３】
前述の操作部に対し、ヘッドバンドの内径を縮小させる方向の操作に抗する付勢力を付与する付勢部を設けるとよい。
【００１４】
前述のヘッドバンドの内径を縮小させる方向の操作部の操作は、押動操作及び引動操作のいずれでもよいが、好ましくは押動操作である。この押動操作である場合、操作部をヘルメットの外側から内側へ押動する操作であるとよい。
【００１５】
前述の操作部及び回転規制部をヘルメットの後頭部側に備えるとよい。
【００１６】
以下、本発明に係るヘルメットのサイズ調整装置の実施形態を図面に基づいて説明する。ここで例示するヘルメットは消防用のヘルメットである。
【００１７】
図１〜図３は、サイズ調整装置１を取り付けた消防用のヘルメット２の構成図である。ヘルメット２は、消防用のものとして周知の構造のものであり、繊維強化合成樹脂材またはポリカーボネート材を用いて所定形状に成型された帽体２０の内側に、発泡スチロールまたはこの発泡スチロールと同等の衝撃吸収性能を有する素材を用いて所定形状に成型された衝撃吸収ライナー２１が配されている。また、また、帽体２０に固定されるとともに、着用者の頭部を包み込む形状に配置されたハンモック２３、ハンモック２３に係止されるとともに、帽体２０の内周に沿って環状に配置された帯状のヘッドバンド２２、ヘッドバンド２２を帽体２０内に配置するためのハンモック２３、ヘルメット２を被った状態を保持するための顎バンド２４、帽体２０の前頭部側に出し入れ自在に設けられたシールド２５が備えられている。帽体２０の後頭部側には、しころ２６が着脱可能に取付けられている。
【００１８】
尚、以下では、シールド２５側を前方とし、しころ２６側を後方として説明する。また、ヘルメット２の頭頂側を上方とし、ヘルメット２の開口側を下方として説明する。また、ヘルメット２の両側部側を左右方向として説明する。
【００１９】
サイズ調整装置１は、ハンモック２３に吊り下げるようにして、帽体２０の後頭部側に配置されている。サイズ調整装置１の構成部材である操作部４及び回転規制部５の係合解除操作体５３は、ケーシング１０の外側に露出しており、しころ２６の外側からサイズ調整操作ができるようになっている。
【００２０】
サイズ調整装置１は、着用者側の壁部１０Ａをこの着用者の後頭部の曲面に沿う曲面とし、外側の壁部１０Ｂを帽体２０の内周の曲面に沿う曲面としたケーシング１０に、サイズ調整装置１の構成部材が配設されている。ケーシング１０には、ハンモック２３に吊り下げるための２枚の吊り下げ板１１Ｌ、１１Ｒが一体に設けられている。
【００２１】
吊り下げ板１１Ｌ、１１Ｒには、上下方向に連続するように開孔された複数のねじ孔１２が設けられており、このねじ孔１２からハンモック２３にねじ１３を貫通させて締め付けることによって、サイズ調整装置１を吊り下げるようになっている。また、ねじ１３を貫通させるねじ孔１２の位置を変更することによって、サイズ調整装置１の上下位置を変更できるようになっている。
【００２２】
ヘッドバンド２２は、このヘッドバンド２２の端部側を構成し、ケーシング１０に対して出し入れ動作するように挿通される端部板２２Ｌ、２２Ｒと、この端部板２２Ｌ、２２Ｒを連結するとともに、着用者の前頭部から側頭部にわたる部位にフィットさせる帯状体２２Ａとから構成されており、端部板２２Ｌ、２２Ｒのケーシング１０に対する出し入れ動作によって、内径を拡大・縮小するようになっている。
【００２３】
帯状体２２Ａは、ハンモック２３に連結されて定位置が保持されている。端部板２２Ｌ、２２Ｒは、帯状体２２Ａに対して上下方向回転可能に軸支されており、サイズ調整装置１の上下位置に対応して回転することで、サイズ調整装置１と帯状体２２Ａの高さの差を吸収できるようになっている。
【００２４】
ヘッドバンド２２には、ケーシング１０の壁部１０Ａに位置するように取り付けられたクッション部２６Ａと、帯状体２２Ａの前頭部側に位置するように取り付けられたクッション部２６Ｂとが備えられている。
【００２５】
クッション部２６Ａには、端部板２２Ｌ、２２Ｒをヘッドバンド２２の周方向にスライド可能に挿通支持する端部板挿通部２７Ｌ、２７Ｒが設けられており、端部板２２Ｌ、２２Ｒのケーシング１０に対する出し入れ動作時に、この端部板２２Ｌ、２２Ｒが端部板挿通部２７Ｌ、２７Ｒをスライドすることによって、端部板２２Ｌ、２２Ｒの出し入れ動作にクッション部２６Ａを追従させないようにして、クッション部２６Ａの変形や位置ずれを防止するようになっている。
【００２６】
以下、図４〜図１１に基づいてサイズ調整装置１を具体的に説明する。尚、ここでは、サイズ調整装置１及び端部板２２Ｌ、２２Ｒのみを図示して説明する。
【００２７】
サイズ調整装置１は、ケーシング１０の周方向で対向する両側部に、端部板２２Ｌ、２２Ｒをケーシング１０内に挿通する挿通孔１４Ｌ、１４Ｒが開孔されている。挿通孔１４Ｌ、１４Ｒに挿通された端部板２２Ｌ、２２Ｒは、サイズ調整装置１のサイズ調整操作によって、挿通孔１４Ｌ、１４Ｒから周方向に沿って出し入れ動作するようになっている。
【００２８】
ケーシング１０内には、対面する端部板２２Ｌと端部板２２Ｒの間に、回転自在に軸支された歯車３と、この歯車３を回転させる方向にスライド操作可能に支持された操作部４と、歯車３の回転を一方向に規制する回転規制部５とが備えられている。
【００２９】
端部板２２Ｌと端部板２２Ｒの対向面には、夫々、端部板２２Ｌ、２２Ｒの周方向（長手方向）に沿って並列し、歯車３と噛み合う凹凸部２８Ｌ、２８Ｒが形成されており、この歯車３と凹凸部２８Ｌ、２８Ｒとが噛み合った状態で歯車３が回転することによって、ケーシング１０に対する端部板２２Ｌ、２２Ｒの出し入れ動作が行われるようになっている（図４、図８参照）。
【００３０】
操作部４には、この操作部４のスライド方向に沿って並列し、歯車３と噛み合う凹凸部４０が形成されており、この歯車３と凹凸部４０とが噛み合った状態で操作部４がスライドすることによって、歯車３が回転するようになっている（図７、図１０参照）。
【００３１】
歯車３は、軸線を上下方向として配され、下方に凹凸部４０と噛み合う第１ギア３Ａと、上方に凹凸部２８Ｌ、２８Ｒと噛み合う第２ギア３Ｂとを備えており、この第１ギア３Ａと第２ギア３Ｂが同軸となるように一体形成されている（図５参照）。
【００３２】
第１ギア３Ａは、第２ギア３Ｂよりも小径、且つ歯数が少ないものであり、操作部４のスライド距離よりも端部板２２Ｌ、２２Ｒのケーシング１０に対する出し入れ動作距離が長くなるようなギア比となっている。
【００３３】
すなわち、第１ギア３Ａと第２ギア３Ｂを前述のようなギア比にすることによって、操作部４の短いスライド距離で、端部板２２Ｌ、２２Ｒのケーシング１０に対する出し入れ動作距離を長くすることができるので、操作部４の操作をコンパクトにすることができ、しかも端部板２２Ｌ、２２Ｒのケーシング１０に対する出し入れ動作を迅速に行うことができるようになっている。
【００３４】
尚、歯車３は、例示したような第１ギア３Ａと第２ギア３Ｂとを同軸とした形態に限るものではなく、第２ギア３Ｂが第１ギア３Ａの回転と連動して回転する形態であればよい。
【００３５】
操作部４は、前後方向に沿って直線的に往復スライド可能に支持されている。操作部４の後端部は、常にケーシング１０から露出しており、この後端部を前方に手動で押動操作することによって、歯車３を回転させるようになっている。このときの歯車３の回転方向は、端部板２２Ｌ、２２Ｒをケーシング１０に入れる方向であり、ヘッドバンド２２の内径を縮小する方向である（図７、図１０参照）。
【００３６】
操作部４は、ケーシング１０側を開口とする空間部４Ａが形成されており、この空間部４Ａの内側に形成された凸部４１と、ケーシング１０内に形成された凹部４２の凹凸係合によるスライド案内部４Ｂによって、前後方向に沿って直線的に往復スライド案内されるようになっている。
【００３７】
空間部４Ａとケーシング１０の内面にわたって、スライド案内部４Ｂを囲むように付勢手段である圧縮ばね６が配されており、この圧縮ばね６の付勢力によって、前方へのスライド操作に抗する力が操作部４に作用するようになっている。この圧縮ばね６の付勢力で操作部４が後方にスライドすることによって、歯車３が回転するようになっている。このときの歯車３の回転方向は、端部板２２Ｌ、２２Ｒをケーシング１０から出す方向であり、ヘッドバンド２２の内径を拡大する方向である。
【００３８】
操作部４の後方へのスライドは、回転規制部５によって規制されており、この回転規制部５の規制を解除することによって、圧縮ばね６の付勢力で操作部４を後方へスライドさせて、ヘッドバンド２２を拡大するようになっている（図６、図９、図１１参照）。
【００３９】
ここで、ヘッドバンド２２の内径を縮小する操作部４の操作は、ヘルメット２をフィッティングするための操作であり、ヘルメット２を被った状態で、ヘッドバンド２２が頭部にフィットするまで操作部４を押動操作することで、フィッティングをすることができる。また、ヘルメット２を脱ぐときには、ヘッドバンド２２がフィットした状態で脱いでもよいし、回転規制部５の規制を解除して、圧縮ばね６の付勢力で操作部４を後方へスライドさせてヘッドバンド２２を拡大して脱いでもよい。
【００４０】
回転規制部５は、ラチェット構造のものであり、第１ギア３Ａと第２ギア３Ｂとの間に、この第１ギア３Ａ及び第２ギア３Ｂと同軸として一体回転するように設けられたラチェットギア５０と、このラチェットギア５０に係脱可能に係合する係合爪５１と、係合爪５１をラチェットギア５０に対して係合する方向に付勢する圧縮ばね５２と、係合爪５１のラチェットギア５０に対する係合を手動操作により強制解除する係合解除操作体５３とから構成されている（図５、図６、図９、図１１参照）。
【００４１】
ラチェットギア５０は、操作部４の前方へのスライド操作で歯車３を回転させようとしたときの回転方向を、係合爪５１がラチェットギア５０に対して係脱する方向に設定され、圧縮ばね６による操作部４の後方へのスライドで歯車３を回転させようとしたときの回転方向を、係合爪５１がラチェットギア５０に対する係合を維持する方向に設定されている。
【００４２】
このようなラチェットギア５０は、操作部４の前方へのスライド操作時の歯車３の回転を妨げずに回転させて、ヘッドバンド２２の内径を縮小可能とし、圧縮ばね６の操作部４を後方へスライドさせようとする力に対しては、歯車３の回転を阻止して、頭部に対するヘッドバンド２２のフィット状態を保持することができる。
【００４３】
係合解除操作体５３は、係合爪５１と一体形成され、後方側が操作部４と隣り合うようにケーシング１０から突出させている。係合解除操作体５３は、ケーシング１０内において、歯車３の軸線と平行とする軸線を中心として回転するように軸支されており、ケーシング１０から突出した部位が、操作部４に対して近接・離間するように左右方向に傾倒するようになっている。
【００４４】
係合解除操作体５３は、ケーシング１０内の端部に係合爪５１を位置させており、この係合爪５１をラチェットギア５０に係合する方向に付勢する圧縮ばね５２の付勢力が、係合解除操作体５３を操作部４から離間する方向に傾倒させるとともに、係合解除操作体５３の操作部４から離間した状態を保持するようになっている。
【００４５】
また、圧縮ばね５２の付勢力に抗して係合解除操作体５３を操作部４に近接する方向（左方向）に傾倒することによって、ラチェットギア５０に対する係合爪５１の係合を解除することができるようになっている。
【００４６】
すなわち、係合解除操作体５３の傾倒操作によってラチェットギア５０に対する係合爪５１の係合を解除すると、歯車３が回転可能状態となるため、圧縮ばね６の付勢力で、操作体４が後方へスライドし、この操作体４のスライドに伴って歯車３が回転することによって、ヘッドバンド２２の内径が拡大するようになっている。
【００４７】
このような構成のサイズ調整装置１によると、ヘルメット２を被った状態で操作部４を押動操作できるとともに、この押動操作でヘッドバンド２２の内径を縮小することによるヘルメット２のフィッティングを行うことができる。また、ヘルメット２を被った状態で、係合解除操作体５３を傾倒操作できるとともに、この傾倒操作でヘッドバンド２２の内径を拡大することでヘルメット２のフィット解除をすることができる。すなわち、ヘッドバンド２２の内径の縮小操作及び拡大操作をワンタッチで行うことができる。
【００４８】
また、ヘルメット２のフィッティングを、操作部４を前方へ押動することによって行い、ヘルメット２のフィッティング解除を、係合解除操作体５３を傾倒させることによって行うようにしているので、これらの操作をしころ２６の外側から行うことができる。すなわち、ヘルメットのフィッティング操作及びフィッティング解除操作を、しころ２６をめくり上げることなく行うことができる。
【００４９】
したがって、本実施形態のサイズ調整装置１は、ヘッドバンドの内径を縮小するものであるので、ヘルメットを着用した状態でフィッティングができるとともに、このフィッティングを容易、且つ迅速に、しかも正確に行うことができる。しかも、フィッティング解除についてもヘルメットを着用した状態で容易、且つ迅速に行うことができる。
【００５０】
尚、本発明は、例示した実施の形態に限定するものではなく、特許請求の範囲の各項に記載された内容から逸脱しない範囲の構成による実施が可能である。
【００５１】
例えば、前述の実施形態では、サイズ調整装置１をヘルメット２の後頭部側に配した構成を例示しているが、このサイズ調整装置１の位置は、ヘルメット２の後頭部側に限定するものではなく、着用者の邪魔にならず、ヘルメット２をフィッティングする操作ができる位置であればよい（図示せず）。
【００５２】
また、前述の実施形態では、ヘルメット２をフィッティングするための操作部４の操作を、前方に押動する操作として例示したが、本発明は、押動操作に限らず、操作部４を後方へ引動する操作又は左右方向に移動させる操作でヘルメット２のフィッティングができる構成としてもよい（図示せず）。
【００５３】
また、前述の実施形態では、ヘルメット２のフィッティングを解除するための係合解除操作体５３の操作を傾倒により行う構成として例示したが、本発明は、傾倒操作に限らず、係合解除操作体５３を前方に押動する操作又は後方へ引動する操作で、ヘルメット２のフィッティングを解除できる構成としてもよい（図示せず）。
【００５４】
また、前述の実施形態では、ヘッドバンド２２が端部板２２Ｌ、２２Ｒ及び帯状体２２Ａの３部材からなる構成を例示したが、本発明は、３部材からなる構成に限らず、一枚物のヘッドバンドとしてもよい。
【符号の説明】
【００５５】
１：サイズ調整装置
２：ヘルメット
２２：ヘッドバンド
２２Ｌ：端部板
２２Ｒ：端部板
２８Ｌ：凹凸部
２８Ｒ：凹凸部
３：歯車
４：操作部
４０：凹凸部
５：回転規制部
６：圧縮ばね（付勢部）
【図１】
0005244925.tif 000002
【図２】
0005244925.tif 000003
【図３】
0005244925.tif 000004
【図４】
0005244925.tif 000005
【図５】
0005244925.tif 000006
【図６】
0005244925.tif 000007
【図７】
0005244925.tif 000008
【図８】
0005244925.tif 000009
【図９】
0005244925.tif 000010
【図１０】
0005244925.tif 000011
【図１１】
0005244925.tif 000012